(57)【要約】      （修正有）【課題】製材の途中で板材を反転させることなく全ての加工を実施できるほか、荷重の集中を抑制可能な連結構造を提供する。【解決手段】いずれも板材である床材５１と壁材６１との連結構造は、床側金具１１と壁側金具２１と釘類３８と固定ピン３９を用いており、床側金具１１は、上面板１４や直立部１６などを有し、釘類３８で床材５１に固定され、直立部１６の内部に接合穴１７を設けてある。また壁側金具２１は、埋没板２５や接合軸２７を有し、固定ピン３９で壁材６１に固定される。そして接合軸２７が接合穴１７に嵌まり込むことで、床材５１と壁材６１との横ずれが規制され、せん断荷重が伝達可能になる。さらに、床側金具１１や壁側金具２１を埋め込むための上段部５４や逃げ穴５７や縦溝６５などは、製材の途中で床材５１や壁材６１を反転させることなく加工できる。しかも面状に展開する埋没板２５などにより、荷重の集中を抑制できる。【選択図】図１
2020186544.tif 000002
【特許請求の範囲】
【請求項１】
隣接する床材（５１）と壁材（６１または６２）との連結構造であって、該床材（５１）の上面または下面に該壁材（６１または６２）の端面が接触しており、
床側金具（１１乃至１３）と壁側金具（２１乃至２３）と釘類（３８）と固定ピン（３９）を用い、
前記床側金具（１１乃至１３）は、前記床材（５１）の上面を削った上段部（５４）に嵌まり込む上面板（１４）と、該床材（５１）の上下面を貫く逃げ穴（５７）に埋め込む直立部（１６）と、からなり、該直立部（１６）は該上面板（１４）の下面から突出するように配置してあり、該直立部（１６）の内部には、上下方向に伸びて該上面板（１４）を貫く接合穴（１７）を設けてあり、
前記壁側金具（２１乃至２３）は、前記壁材（６１または６２）から突出する接合軸（２７）を有し、
前記床側金具（１１乃至１３）は、前記上面板（１４）から前記床材（５１）に向けて差し込む前記釘類（３８）で固定され、
前記壁側金具（２１乃至２３）は、前記壁材（６１または６２）の側面から打ち込む前記固定ピン（３９）で固定され、
前記接合軸（２７）が前記接合穴（１７）に嵌まり込むことで、前記床材（５１）と前記壁材（６１または６２）との間でせん断荷重が伝達可能になることを特徴とする連結構造。
【請求項２】
前記壁側金具（２１または２２）は、前記壁材（６１または６２）の上端面または下端面から上下方向に伸びる縦溝（６５）に埋め込む埋没板（２５）と、該壁材（６１または６２）から突出する前記接合軸（２７）と、からなり、該接合軸（２７）は該埋没板（２５）の外縁部から突出するように配置してあり、前記固定ピン（３９）は、該壁材（６１または６２）の側面から該埋没板（２５）に向けて打ち込むことを特徴とする請求項１記載の連結構造。
【発明の詳細な説明】
【技術分野】
【０００１】
本発明は、木造建築などにおいて、隣接する床材と壁材との横ずれを規制する連結構造に関する。
【背景技術】
【０００２】
従来、木造建築の大規模化は難しかったが、近年は集成材の製造技術の向上により、大断面の木材が安定して入手できるようになり、住宅よりも規模の大きい集合住宅や公共施設などの木造化も無理なく実現可能になりつつある。集成材には様々な種類が存在するが、その一つとしてＣＬＴが挙げられる。ＣＬＴは直交集成板とも呼ばれ、ラミナと称される板材を積層したもので、層の上下で木目方向を直交させることで強度の方向性が打ち消され、しかも相応の厚さを有することから、ＣＬＴ同士を連結するだけで建築物の骨格を構築することもできる。
【０００３】
木造建築の骨格にＣＬＴを用いるための技術開発は、以前から進められており、その例として後記の特許文献が挙げられる。そのうち特許文献１では、隣接する集成材をＨ鋼材で連結した床構造が開示されており、この集成材にはＣＬＴを用いることが想定されている。Ｈ鋼材は、隣接する集成材の間に配置し、また集成材の側面には、全長に亘って上下一対のスリットを加工してあり、Ｈ鋼材のフランジを対向するスリットに差し込む。このように集成材をＨ鋼材で連結することで、軽量でありながら、強度を持たせた床構造が実現する。
【０００４】
次の特許文献２では、床板と壁材など、木質系板材同士を一体化するための連結構造が開示されている。この連結構造では、床板に相当する一方材と、壁材に相当する他方材と、の境界にプレートと金物を配置しており、一方材の表面には凹部を加工し、そこにプレートを埋め込むほか、他方材の端面にはコの字形の金物を埋め込む。そしてプレートと金物をボルトで一体化するほか、金物から突出するホゾをプレートのホゾ溝に嵌め込み、水平方向の荷重を伝達している。この金物については既存の物を流用可能で、コストダウンを実現できるほか、引張荷重とせん断荷重を一括して受け止め可能で、強度の面でも優れている。
【先行技術文献】
【特許文献】
【０００５】
【特許文献１】特開２０１７−０２５５２４号公報
【特許文献２】特開２０１８−１９４１２６号公報
【発明の概要】
【発明が解決しようとする課題】
【０００６】
床材や壁材としてＣＬＴなどの板材を用い、これらを組み合わせて建築物の骨格を構築する場合、隣接する板材同士を強固に連結し、自重や外力に対抗する必要がある。この板材同士の連結には、前記の特許文献のように各種金物を用いることが多く、その組み込みのため、製材段階で板材に溝や穴などの加工を行うことになるが、その際、金物の形状や配置によっては、作業の途中で板材の上下面を反転させる必要がある。しかし建築物の骨格を構成する重厚な板材は、この反転させる作業が大掛かりになり、手間や時間の増大が避けられない。
【０００７】
また建築物の骨格を構成する板材同士を連結する場合、板材同士の境界を跨ぐように各種金物を組み込むことになる。そのため、隣接する板材同士で荷重が伝達していく際は、各種金物の周辺に荷重が集中することになるが、これが過大になると板材が破損する恐れがある。特にホゾパイプなどの棒状の金物は、その形状から、荷重の集中を招きやすい。
【０００８】
本発明はこうした実情を基に開発されたもので、製材の途中で板材を反転させることなく全ての加工を実施できるほか、荷重の集中を抑制可能な連結構造の提供を目的としている。
【課題を解決するための手段】
【０００９】
前記の課題を解決するための請求項１記載の発明は、隣接する床材と壁材との連結構造であって、該床材の上面または下面に該壁材の端面が接触しており、床側金具と壁側金具と釘類と固定ピンを用い、前記床側金具は、前記床材の上面を削った上段部に嵌まり込む上面板と、該床材の上下面を貫く逃げ穴に埋め込む直立部と、からなり、該直立部は該上面板の下面から突出するように配置してあり、該直立部の内部には、上下方向に伸びて該上面板を貫く接合穴を設けてあり、前記壁側金具は、前記壁材から突出する接合軸を有し、前記床側金具は、前記上面板から前記床材に向けて差し込む前記釘類で固定され、前記壁側金具は、前記壁材の側面から打ち込む前記固定ピンで固定され、前記接合軸が前記接合穴に嵌まり込むことで、前記床材と前記壁材との間でせん断荷重が伝達可能になることを特徴とする連結構造である。
【００１０】
本発明による連結構造は、床材や壁材としてＣＬＴなどの板材を用いており、隣接する板材同士の横ずれを規制するためのもので、施工に先立つ製材段階において、作業を簡素化できるといった特徴を有する。また本発明では、床材と壁材を連結することを想定しており、床材の上面や下面に壁材の端面が接触し、この接触面で双方の横ずれを規制するが、これらの配置については、二枚の壁材で床材の上下両面を挟み込む場合もあれば、床材の一方の面だけに壁材が接触する場合もある。当然ながら、床材は水平方向に敷設され、壁材は垂直方向に敷設されるほか、前記の「横ずれ」とは、床材の表裏面に沿って一方だけが変位することを指す。なお諸事情により、床材や壁材が水平や垂直ではなく傾きを有することもある。そして本発明は、床側金具と壁側金具と釘類と固定ピンの四要素を用いている。
【００１１】
床側金具は、床材に取り付ける金具で、上面板と直立部を溶接などで一体化した構造で、床材の上面側に配置する。そして上面板は、金属板を矩形や円形などに切り抜いたもので、床材の上面に埋め込む。そのため床材には、あらかじめ盆地状の上段部を加工しておくが、上面板が床材から突出しないよう、所定の深さを確保する。また直立部は円筒状で、上面板の下面から突出するように配置する。さらに直立部の内部には、接合穴を設けてある。接合穴は床材の厚さ方向に伸びており、しかも上面板も貫いており、その両端が外部に開放している。
【００１２】
床材には、先の上段部のほか、直立部を埋め込むため、逃げ穴を加工する。逃げ穴は、上段部の底面から床材の下面に到達する穴で、床材の上面側から加工することができる。このように上段部と逃げ穴を加工した後、そこに床側金具を埋め込み、上面板から床材に向けて釘類を差し込むと、床側金具が床材に固定される。なお釘類は、荷重条件が緩い場合、一枚の上面板に一本でも構わないが、複数本を上面板の全域に分散配置し、荷重の集中を避けることもある。
【００１３】
壁側金具は、壁材に取り付ける金具で、接合軸と称する棒状の部位を有する。仮に床材の下面に壁材が接触するならば、壁側金具は、壁材の上端面に取り付けるが、これとは逆に、床材の上面に壁材が接触するならば、壁側金具は、壁材の下端面に取り付ける。そして壁側金具の取り付けを終えると、壁材の端面から接合軸が直交方向に突出する。なお壁側金具の具体例は様々だが、単純な丸棒状でも構わない。その場合、壁材の端面に加工した穴に埋め込むことになり、端面から突出する範囲が接合軸になる。
【００１４】
壁側金具は、壁材の側面から打ち込む固定ピンで固定する。そのため壁側金具には、固定ピンを通すためのピン穴を設けてあり、壁材についても、所定の位置に固定穴を加工しておく。当然ながら固定穴とピン穴は、同心に揃うように配置するほか、打ち込まれた固定ピンは摩擦で保持され、固定穴から自然に離脱することはない。なお固定ピンについても、荷重条件が緩い場合、一個の壁側金具に一本でも構わないが、通常は荷重の集中を避けるため、複数本を分散配置する。
【００１５】
床側金具を床材に固定し、壁側金具を壁材に固定した後、床材と壁材を接近させ、壁材側の接合軸を床材側の接合穴に嵌め込むと、床材と壁材との横ずれが規制され、床材と壁材との間でせん断荷重が伝達可能になる。なお床材と壁材との接触面は、細長く帯状に伸びるため、必要に応じて複数組の床側金具と壁側金具を隣接して配置する。そのほか接合軸と接合穴は、一組の床側金具と壁側金具に対して一組とすることもあるが、一組の床側金具と壁側金具に対して複数組とすることもある。
【００１６】
このように本発明では、床材と壁材との連結構造として床側金具と壁側金具などを用いることで、床側金具の接合穴と壁側金具の接合軸との嵌め込みによってせん断荷重を伝達することができる。そのため床材については、上段部と逃げ穴を加工するだけで床側金具を取り付け可能で、壁材についても、溝などを加工するだけで壁側金具を取り付け可能である。
【００１７】
請求項２記載の発明は、壁側金具の具体例を示すもので、壁側金具は、壁材の上端面または下端面から上下方向に伸びる縦溝に埋め込む埋没板と、該壁材から突出する接合軸と、からなり、該接合軸は該埋没板の外縁部から突出するように配置してあり、固定ピンは、該壁材の側面から該埋没板に向けて打ち込むことを特徴とする。
【００１８】
ここでの壁側金具は、埋没板と接合軸を一体化した構造で、そのうち埋没板は、単純な板で、その表面には固定ピンを通すためのピン穴を設けてあり、壁材の端面の中央付近に加工した縦溝に埋め込む。縦溝は、埋没板の全体を緩みなく収容可能な大きさとする。また接合軸は、埋没板の外縁部から突出するように配置してあり、埋没軸を縦溝に埋め込んだ際、壁材の端面から直交方向に突出する。埋没板は平面状で、その大きさに制約が少ないため、埋没板の面積を増大させ、複数本の固定ピンを分散配置することで、壁材に作用する荷重の集中を抑制できる。
【発明の効果】
【００１９】
請求項１記載の発明のように、床材と壁材との連結構造として床側金具と壁側金具などを用いることで、床側金具の接合穴と壁側金具の接合軸との嵌め込みによってせん断荷重を伝達することができる。そのため床材については、上段部と逃げ穴を加工するだけで床側金具を取り付け可能で、壁材についても、溝などを加工するだけで壁側金具を取り付け可能である。そして床材と壁材のいずれも、製材段階で床側金具や壁側金具を埋め込むための加工を行う際、その上下面を反転させる作業は不要であり、手間や時間の増大を回避できる。
【００２０】
請求項２記載の発明のように、壁側金具を埋没板と接合軸で構成することで、埋没板の面積を増大させることが容易で、壁側金具を固定する固定ピンについても、複数本を分散配置することが容易である。なお床側金具を固定する釘類についても、同様に複数本を分散配置することができる。そのため、床材と壁材との連結構造に過大な荷重が作用した際も、これが複数本の釘類や固定ピンに分散して伝達されるため、床側金具や壁側金具の周辺での荷重の集中を抑制でき、床材や壁材の破損を回避できる。
【図面の簡単な説明】
【００２１】
【図１】本発明による連結構造の構成例を示す斜視図で、水平に敷設される床材と直立する壁材との横ずれを規制する。
【図２】図１の後、床側金具を床材に取り付け、壁側金具を壁材に取り付けた状態を示す斜視図である。
【図３】図２の床材と壁材を接触させた状態を示す斜視図で、接合軸が接合穴に嵌まり込んでいる。なお床側金具と床材は縦断面を描いてあり、また図の下方には、床側金具と壁側金具だけを抜き出した状態を描いてある。
【図４】図１とは異なる構成例を示す斜視図で、床材の上下に壁材が配置され、壁材で床材を挟み込む。
【図５】図４の後の状態を示す斜視図で、上下の壁材が床材に接触している。
【図６】本発明による連結構造を利用し、実際に床材と壁材を一体化する場合を示す斜視図で、床側金具などと併せ、寄せ金具を用いている。
【図７】図４と同様、床材の上下に壁材が配置され、上下の壁材で床材を挟み込んでいるほか、寄せ金具で上下の壁材を引き寄せた形態を示す斜視図である。
【図８】床側金具や壁側金具の形状例を示す斜視図で、図の左上には、接合軸と接合穴を複数組としたものを描いてあり、図の右下には、上面板を円形とした床側金具を描いてある。
【図９】壁側金具を丸棒状とした場合を示す斜視図である。
【発明を実施するための形態】
【００２２】
図１は、本発明による連結構造の構成例を示し、水平に敷設される床材５１と直立する壁材６１との横ずれを規制する。この図の床材５１と壁材６１は、いずれも木造建築物の骨格を構成するもので、ＣＬＴなど、相応の厚さを有する板状の集成材を用いており、木造建築物の自重のほか、風や地震などによる外力を受け止め、建築物の健全性を維持する。またここでは、壁材６１の上端面で床材５１を支持することを想定しており、床材５１の下面が壁材６１の上端面に載る。そして双方の横ずれを規制する連結構造は、床側金具１１と壁側金具２１と釘類３８と固定ピン３９の四要素を用いている。
【００２３】
床側金具１１は、上面板１４と縦板１５と直立部１６を一体化した形状で、そのうち上面板１４は長方形状の板である。また縦板１５は、上面板１４の下面中央に沿って伸びる板で、床側金具１１を側面から見ると、上面板１４と縦板１５が丁字状に配置されている。そして上面板１４の下面中心には、円柱状の直立部１６が突出している。直立部１６は、上面板１４に対して直交するように伸びている。なお直立部１６と縦板１５は、同一線上に並んでおり、縦板１５は直立部１６で分断されている。そのほか直立部１６の内部は、円断面の中空になっており、この箇所を接合穴１７と称している。接合穴１７は上面板１４にも到達しており、その上下両端とも外部に開放しており、有底ではない。
【００２４】
床側金具１１は、床材５１に埋め込むように取り付ける。そのため床材５１の上面には、所定の深さまで盆地状に削り込んだ上段部５４を設けてある。さらに上段部５４の底面の中央には、縦板１５を埋め込むため、上下溝５５を加工してある。また上下溝５５の中央には、直立部１６を埋め込むため、円断面の逃げ穴５７を加工してあるが、上下溝５５と逃げ穴５７のいずれも、床材５１の下面に到達している。そして床側金具１１を床材５１に埋め込んだ後、釘類３８を差し込み、床側金具１１を固定する。そのため上面板１４には、釘類３８を差し込むための釘穴１８のほか、釘類３８の頭部を埋め込むためのザグリ１９を設けてある。なお図中の釘穴１８とザグリ１９は計八組で、上面板１４の全域に分散配置してある。
【００２５】
壁側金具２１は、埋没板２５と接合軸２７を一体化した形状で、そのうち埋没板２５は長方形状の板で、壁材６１の上端面の中央に加工した縦溝６５に埋め込まれる。また接合軸２７は、埋没板２５の上端面中央から直立する丸棒状だが、埋没板２５と強固に一体化させるため、その根元は埋没板２５に差し込んである。そのため縦溝６５の入り口中央には、円断面の逃げ溝６７を加工してあり、そこに接合軸２７の根元が収容される。このように埋没板２５は、その全体が縦溝６５に埋め込まれ、壁材６１からは接合軸２７だけが外部に突出する。
【００２６】
縦溝６５に埋め込まれた埋没板２５は、固定ピン３９によって壁材６１に固定される。そのため埋没板２５には、固定ピン３９を通すためのピン穴２９を設けてあり、また壁材６１の側面には、固定ピン３９を打ち込むための固定穴６９を加工してある。固定穴６９は、縦溝６５と交差して反対面に到達しており、打ち込まれた固定ピン３９は、摩擦で不動状態を維持する。当然ながら固定穴６９とピン穴２９は、壁側金具２１を所定の位置に埋め込んだ際、同心に揃うように配置する。さらに固定穴６９とピン穴２９は、荷重の集中を避けるため、複数組を分散配置してある。
【００２７】
この図のように床材５１には、上段部５４と上下溝５５と逃げ穴５７を加工する必要があるが、これらは全て、ドリルなどの工具を床材５１の上面から接触させることで形成可能で、床材５１の下面からは何らの加工も行う必要がない。そのため製材段階では、床材５１を加工機械のベッドなどに固定し、その上方から所定の工具を接触させるだけで全ての加工を完了させることができ、途中で床材５１を反転させるなど、手間の掛かる作業は不要である。
【００２８】
図２は、図１の後、床側金具１１を床材５１に取り付け、壁側金具２１を壁材６１に取り付けた状態を示す。床側金具１１の上面板１４を床材５１の上段部５４に埋め込むと、併せて縦板１５が上下溝５５に入り込むほか、直立部１６が逃げ穴５７に入り込み、その後、床側金具１１を固定するため、個々の釘穴１８に釘類３８を差し込んでいく。なお、釘類３８の頭部はザグリ１９に収容されるほか、上面板１４は上段部５４に完全に埋め込まれ、床側金具１１や釘類３８が床材５１の上面から突出することはない。また接合穴１７は、床材５１の上面と下面を結ぶように貫いている。
【００２９】
壁側金具２１の埋没板２５は、壁材６１の縦溝６５に入り込み、そのピン穴２９を壁材６１の固定穴６９と同心に揃えた後、固定穴６９からピン穴２９に向けて固定ピン３９を打ち込み、壁側金具２１を壁材６１に固定する。この状態では、埋没板２５の全体が縦溝６５に入り込み、接合軸２７だけが外部に突出する。このように床側金具１１と壁側金具２１を取り付けた後、床材５１と壁材６１を接近させ、接合軸２７を接合穴１７に嵌め込む。なお床側金具１１や壁側金具２１は、製材段階で取り付け可能で、現地での作業を削減することができる。
【００３０】
図３は、図２の床材５１と壁材６１を接触させた状態を示し、接合軸２７が接合穴１７に嵌まり込んでいる。なお内部構造を示すため、床側金具１１と床材５１は縦断面を描いてあり、また図の下方には、床側金具１１と壁側金具２１だけを抜き出した状態を描いてある。接合軸２７が接合穴１７に嵌まり込むことで、床材５１と壁材６１との横ずれが規制されるほか、床材５１と壁材６１との間に作用する水平方向の荷重（せん断荷重）が円滑に伝達される。このせん断荷重において、固定ピン３９の軸線方向に作用するものは、縦板１５や埋没板２５の表面を介して床材５１や壁材６１に伝達される。そのため、縦板１５や埋没板２５の面積を増大させることで荷重の集中を避けることができる。
【００３１】
対して、固定ピン３９の軸線方向に対して直交方向に作用するせん断荷重は、釘類３８や固定ピン３９を介して床材５１や壁材６１に伝達される。そのため、釘類３８や固定ピン３９の本数を増やすことで荷重の集中を避けることができる。このように本発明では、床材５１と壁材６１との間に作用するせん断荷重を円滑に伝達可能で、床材５１や壁材６１の狭い範囲に荷重が集中することを抑制でき、その破損を回避できる。
【００３２】
そのほか、各図とは逆に床側金具１１に接合軸２７を設け、壁側金具２１に接合穴１７を設けた場合でも、同様にせん断荷重を伝達することができる。ただし壁側金具２１は、壁材６１の端面に取り付けるため、その水平面上の大きさは極力抑制すべきであり、接合穴１７よりも接合軸２７を設けることが望ましい。対して床材５１は、水平面に展開するため、水平面上の大きさについての自由度が高いため、床側金具１１については、接合軸２７よりも接合穴１７を設けることが望ましい。
【００３３】
図４は、図１とは異なる構成例を示し、床材５１の上下に壁材６１、６２が配置され、上下の壁材６１、６２で床材５１を挟み込む。ここでは、床材５１の上方に配置される壁材６２についても、壁側金具２１を取り付ける必要があり、この壁材６２の下端面の中央には縦溝６５を加工してあり、そこに壁側金具２１の埋没板２５を埋め込む。当然ながらこの壁側金具２１は上下反転させてあり、壁材６２の下端面から接合軸２７が突出する。そのほか、床材５１に床側金具１１を取り付ける点や、下方の壁材６１に壁側金具２１を取り付ける点は、図２と同じである。ただしこの図では、接合穴１７の上下両側から接合軸２７が嵌め込まれるため、個々の接合軸２７の延長を抑制してある。
【００３４】
図５は、図４の後の状態を示し、上下の壁材６１、６２が床材５１に接触している。なお内部構造を示すため、一部は縦断面を描いてある。ここでは、床側金具１１の上下両側に壁側金具２１が接触しているほか、床側金具１１の接合穴１７には、上下両側から接合軸２７が嵌め込まれている。そのため連結構造に作用するせん断荷重は、必ず隣接する床材５１や壁材６１、６２に伝達される。
【００３５】
図６は、本発明による連結構造を利用し、実際に床材５１と壁材６１を一体化する場合を示しており、床側金具１１などと併せ、寄せ金具７１を用いている。寄せ金具７１は、床材５１と壁材６１を引き寄せ、引張荷重を受け止める役割を担うもので、床側金具１１や壁側金具２１を挟み込むように左右両側に配置してある。また寄せ金具７１は、壁側金具２１の埋没板２５と同様、平面状だが、その上部中央にはメネジ７３を形成してある。そして寄せ金具７１は、壁材６１の上端面に加工したスリット６８に差し込み、固定ピン３９で固定する。さらに寄せ金具７１に床材５１を引き寄せるため、全ネジボルト７４を用いている。全ネジボルト７４は、床材５１に加工した通し穴５８に差し込み、その下端部はメネジ７３に螺合させるが、上端部は通し穴５８から突出させ、そこにワッシャ７５を組み込み、併せてナット７６を螺合させる。
【００３６】
施工時は、まず寄せ金具７１を壁材６１に埋め込み、これを固定ピン３９で壁材６１に固定し、次に全ネジボルト７４の下端部を寄せ金具７１のメネジ７３に螺合させ、双方を強固に締め付けて一体化させる。その後、全ネジボルト７４を通し穴５８に差し込み、その上端部に螺合させたナット７６を締め付けると、床材５１が壁材６１に密着する。併せて、壁材６１側の接合軸２７が床材５１側の接合穴１７に嵌まり込み、せん断荷重が伝達できるようになる。なお寄せ金具７１と全ネジボルト７４は、単純に床材５１と壁材６１を引き寄せるだけで、その構成上、せん断荷重の伝達には適さない。このように本発明では、床材５１と壁材６１を引き寄せる手段を別途に組み込む必要があるが、この手段は、あらゆる従来技術を用いることができる。
【００３７】
図７は、図４と同様、床材５１の上下に壁材６１、６２が配置され、上下の壁材６１、６２で床材５１を挟み込んでいるほか、寄せ金具７１で上下の壁材６１、６２を引き寄せた形態を示す。この図の寄せ金具７１は図６と同じものだが、下方の壁材６１の上端面のほか、上方の壁材６２の下端面の両方に埋め込んであり、対向する寄せ金具７１を全ネジボルト７４で引き寄せており、上下の壁材６１、６２は、床材５１に密着している。また床側金具１１の上下には壁側金具２１が接触しており、個々の壁側金具２１の接合軸２７が接合穴１７に嵌め込まれており、床材５１と壁材６１、６２との横ずれを規制している。
【００３８】
床側金具１１と壁側金具２１のいずれも、上下の壁材６１、６２を引き離す引張荷重については、何らの機能も発揮することはなく、この荷重は、寄せ金具７１と全ネジボルト７４だけで伝達される。そのため過大な引張荷重が作用した場合、全ネジボルト７４の弾塑性変形でその衝撃が緩和され、壁材６１、６２などの破損を防ぐが、この際も、床側金具１１と壁側金具２１については、単に接合穴１７の中で接合軸２７が変位するだけである。このように本発明では、床側金具１１と壁側金具２１によって床材５１や壁材６１、６２の横ずれだけを規制しており、上下方向への変位は許容されるため、全ネジボルト７４などの弾塑性変形が誘発され、連結構造に粘り強さを確保することができる。
【００３９】
そのほか床側金具１１と壁側金具２１は、接合軸２７が接合穴１７に嵌まり込んでいるだけで、床材５１と壁材６１、６２との引き寄せには関与していない。そのため図７のような連結構造を解体する場合、上下に対向する寄せ金具７１のうち、いずれか一方に打ち込まれた固定ピン３９を抜き取るだけで壁材６１、６２を引き離すことができ、床側金具１１や壁側金具２１はそのまま放置できるため作業が簡素化され、移築や再利用にも適している。
【００４０】
図８は、床側金具１２、１３や壁側金具２２の形状例を示し、図の左上には、接合軸２７と接合穴１７を複数組としたものを描いてあり、図の右下には、上面板１４を円形とした床側金具１３を描いてある。図の左上のように、一個の床側金具１２に複数の接合穴１７を設けるほか、一個の壁側金具２２に複数の接合軸２７を設けることで、床側金具１２と壁側金具２２との回転を防止できるほか、せん断荷重の分散が促進され、床側金具１２や壁側金具２２などの負担が軽減される。
【００４１】
図の右下に描いた床側金具１３は、その上面板１４を円形としてあるほか、上面板１４の中心に直立部１６を取り付けただけの単純な構成となっており、縦板１５を省略している。そのため床材５１については、上段部５４と逃げ穴５７だけが必要になるが、これらはいずれも単純な円形であり、汎用の工具を接触させるだけで加工が完了し、時間や手間を削減できる。なお縦板１５を省略している分、せん断荷重の分散が難しくなるが、上面板１４や直立部１６の直径を増大させることで、これに対応できる。そして床側金具１３と対になる壁側金具２１は、図１などと同じものである。
【００４２】
図９は、壁側金具２３を丸棒状とした場合を示す。荷重条件が緩い場合、これまでの各図のような埋没板２５を省略し、壁側金具２３を単純な丸棒状とすることもできる。この壁側金具２３の下部は、壁材６１に加工した円断面の逃げ溝６７に埋め込むほか、その側周面には、固定ピン３９を通すためのピン穴２９を設けてある。そして壁側金具２３の下部を逃げ溝６７に埋め込み、固定穴６９とピン穴２９を同心に揃えた後、固定ピン３９を打ち込むことで壁側金具２３が固定され、逃げ溝６７から突出する範囲が接合軸２７として機能する。
【００４３】
図９の床材５１や床側金具１１は、図１などと同じで、床側金具１１は釘類３８で床材５１に固定されており、その接合穴１７は、床材５１の上下面を結ぶように開放している。また接合穴１７には、壁材６１から突出する接合軸２７が嵌め込まれ、床材５１と壁材６１との横ずれが規制される。なお図では、固定ピン３９を上下に二本用いているが、荷重条件に問題がなければ、固定穴６９とピン穴２９を一組に絞り込み、一本の固定ピン３９だけで壁側金具２３を固定することもできる。
【符号の説明】
【００４４】
１１  床側金具
１２  床側金具（接合穴が複数）
１３  床側金具（上面板が円形）
１４  上面板
１５  縦板
１６  直立部
１７  接合穴
１８  釘穴
１９  ザグリ
２１  壁側金具
２２  壁側金具（接合軸が複数）
２３  壁側金具（丸棒状）
２５  埋没板
２７  接合軸
２９  ピン穴
３８  釘類
３９  固定ピン
５１  床材
５４  上段部
５５  上下溝
５７  逃げ穴
５８  通し穴
６１  壁材（床材の下方に配置）
６２  壁材（床材の上方に配置）
６５  縦溝
６７  逃げ溝
６８  スリット
６９  固定穴
７１  寄せ金具
７３  メネジ
７４  全ネジボルト
７５  ワッシャ
７６  ナット
【図１】
2020186544.tif 000003
【図２】
2020186544.tif 000004
【図３】
2020186544.tif 000005
【図４】
2020186544.tif 000006
【図５】
2020186544.tif 000007
【図６】
2020186544.tif 000008
【図７】
2020186544.tif 000009
【図８】
2020186544.tif 000010
【図９】
2020186544.tif 000011